(57)【要約】      （修正有）【課題】ハミガキ粉や化粧品等の内容物を容易に吐出し、最後まで内容物を使い切ることができるチューブ容器の口頸体、及びチューブ容器を提供する。【解決手段】チューブ容器の口頸体１０は、自己粘着性を有しかつ１５〜５０のショアＡ硬度を有する合成樹脂材料で構成され、チューブ本体２０の開口縁外周に嵌合させて内容物を吐出するものであって、チューブ本体の開口縁外周に嵌合する嵌合壁と、内容物を吐出する吐出口と、を備え、嵌合壁の内面から吐出口の先端に向けて長さ方向に切れ目Ｓを入れ、切れ目が内容物の流路となることを特徴とする。【選択図】図３
0003215807.tif 000002
【実用新案登録請求の範囲】
【請求項１】
チューブ本体の開口縁外周に嵌合させて内容物を吐出するチューブ容器の口頸体であって、
自己粘着性を有しかつ１５〜５０のショアＡ硬度を有する合成樹脂材料で構成され、
前記チューブ本体の前記開口縁外周に嵌合する嵌合壁と、前記内容物を吐出する吐出口と、を備え、
前記嵌合壁の内面から前記吐出口の先端に向けて長さ方向に切れ目を入れ、前記切れ目が前記内容物の流路となることを特徴とするチューブ容器の口頸体。
【請求項２】
前記切れ目が前記嵌合壁の内面から前記吐出口の先端に向けて湾曲面を構成していることを特徴とする請求項１に記載のチューブ容器の口頸体。
【請求項３】
前記合成樹脂材料は、熱可塑性エラストマー、特にシリコンもしくはポリウレタン、又は好ましくは親水コロイド材料で構成されており、またはこのような材料を含んでいることを特徴とする請求項１又は２に記載のチューブ容器の口頸体。
【請求項４】
請求項１乃至３のうちいずれかに記載のチューブ容器の口頸体を備えるチューブ容器。
【請求項５】
請求項４に記載のチューブ容器の前記口頸体を支持して自立させる台座。
【考案の詳細な説明】
【技術分野】
【０００１】
本考案は、ハミガキ粉や化粧品等の内容物を容易に吐出し、最後まで該内容物を使い切ることができるチューブ容器及びその口頸体に関する。
【背景技術】
【０００２】
従来、チューブ容器は、チューブ本体と、口頸部と、キャップからなり、キャップを取り外した後に、その押出口より内容物を押出し使用する構造となっている。容器内の内容物が少なくなった状態になると、容器を逆さにし、内容物を口頸部側に移動し、この移動した内容物を押出口より取り出すことが通常行われている。しかし、このような構造では、チューブ本体の内容物は取り出せても、口頸部に残留した内容物を取り出すことは困難である。
【０００３】
よく家庭で行われる手段として、チューブ本体の口頸部付近を切断することが行われる。このような切断手段は、内容物をほぼ確実に取り出して最後まで使い切ることができるものの、いちいちチューブを切断することは厄介であり、切断したチューブは美感上好ましくない。
【０００４】
チューブ容器は、種々提案されている。特許文献１に係るチューブ状の容器は、チューブの先端口部に、先端に切目を設けた袋体を装着したものが提案されている。特許文献２に係る発明にあっても、切れ目が切り込まれた弾性材料で構成される弁の外周に対して放射方向に加圧／解除する操作によって切れ目の開閉が行なわれる構成の弁が備えられた容器が提案されている。
【０００５】
また、特許文献３に係るチューブ容器は、キャップ、筒状胴部、肩部を有し、キャップと螺着する取出し口部の外周がネジ部で構成されている押し出しチューブ容器にあって、該ネジ部及び肩部に凹状の溝を設けることにより、内容物の使い切りに際し、取出し口部及び肩部の変形を容易にし、これにより取出し口部及び肩部の残存する内容物が容易に取出せるようにした。特許文献４に係る可撓性容器は、口頸部の先端の吐出口から可撓変形可能な容器本体で構成した合成樹脂製の容器であって、この容器本体の口頸部の近傍位置に、容器本体の周方向において、切断誘導線を繞設し、口頸部や口頸部の近傍の部分に残された内容物を容易に取り出して、収容された内容物を無駄なく使用できる。特許文献５に係る可撓性容器は、容器本体の口頸部の近傍に、この押し出し方向に向かって延設するとともに、その周辺方向において対峙した構造の対の陥没誘導線を設け、また、口頸部の押し出し方向に向かって延設するとともに、その周辺方向において対峙した構造の対の間欠連設部と、この対の間欠連設部間に設けた対の間欠折曲げ部でなり、膜部材が融着された口頸部を押潰し変形させ易くして、口頸部や口頸部の近傍の部分に残された内容物を容易に吐出させることができる。
【先行技術文献】
【特許文献】
【０００６】
【特許文献１】実開平３−４０９６２号公報
【特許文献２】特開昭６３−２４８６６２号公報
【特許文献３】特開２００７−８４１３６号公報
【特許文献４】特開２００７−６２７８３号公報
【特許文献５】特開２００８−２１３８８３号公報
【考案の概要】
【考案が解決しようとする課題】
【０００７】
しかしながら、特許文献１に係る容器にあっては、袋体がチューブ容器のキャップの役割を兼ねることになるので、不慮の外力がチューブ容器に負荷された場合には切目から内容物が吐出してしまう等の問題点がある。特許文献２に係る容器にあっては、構成が非常に複雑であり、製造コストが嵩んでしまう等の欠点を有している。さらに、特許文献３に係るチューブ容器は、取出し口部に加工した構造であり、取出し口部を押し潰すことで、残留流動物を取出すことの特徴を有するものの、残留流動物を最後まで取出すことは困難である。特許文献４に係る可撓性容器も、容器本体に切断誘導線を設けた構造であり、容器本体を、押し潰することで、全ての流動物を取出すとしているものの、残留流動物を最後まで取出すことは困難である。特許文献５に係る可撓性容器は、容器本体の口頸部の近傍に対の陥没誘導線と、対の間欠連設部、並びに対の間欠折曲げ部を設けた構造であり、口頸部を押し潰すことで、残留流動物を取出すことの特徴を有するものの、残留流動物を最後まで取出すことは困難である。
【０００８】
以上のような問題点に鑑みて、本考案の目的は、ハミガキ粉や化粧品等の内容物を容易に吐出し、最後まで該内容物を使い切ることができるチューブ容器及びその口頸体を提供することである。
【課題を解決するための手段】
【０００９】
本考案に係るチューブ容器の口頸体は、チューブ本体の開口縁外周に嵌合させて内容物を吐出するチューブ容器の口頸体であって、自己粘着性を有しかつ１５〜５０のショアＡ硬度を有する合成樹脂材料で構成され、チューブ本体の開口縁外周に嵌合させて内容物を吐出するものであって、チューブ本体の開口縁外周に嵌合する嵌合壁と、内容物を吐出する吐出口と、を備え、嵌合壁の内面から吐出口の先端に向けて長さ方向に切れ目を入れ、該切れ目が内容物の流路となることを特徴とする。なお、該切れ目は嵌合壁の内面から吐出口の先端に向けて湾曲面を構成すると、いったん吐出した内容物の逆流を防ぐことができる。このような構成により、最後に残った内容物を出し切ることができる。
【００１０】
なお、前述した合成樹脂材料は、特に、熱可塑性エラストマー、特にシリコンもしくはポリウレタン、又は好ましくは親水コロイド材料で構成されており、またはこのような材料を含んでいるようにすると好適である。
【００１１】
本考案に係るチューブ容器は、上述の口頸体を備えることを特徴とする。
【００１２】
またさらに、本考案に係る台座は、前述した口頸体を支持してチューブ容器を起立させるものであることを特徴とする。
【考案の効果】
【００１３】
本考案によれば、該チューブ容器は、切れ目を形成する閉塞部材が容器の口頸体として構成されており、チューブの押し出し操作時には、容器の押圧により加圧された内容物によって切れ目が押し広げられるように開口し、内容物の吐出が行なわれる。なお、口頸体を支持する台座を配設することによって外部に内容物が吐出することも未然に防止することができる。さらに、本考案の構造はシンプルであり、製造コストを低減する効果がある。
【図面の簡単な説明】
【００１４】
【図１】本考案の実施例１に係るチューブ容器１の全体構成を示す斜視図である。
【図２】実施例１に係るチューブ容器１の口頸体１０の構造を示す断面図である。
【図３】実施例１に係るチューブ容器１の口頸体１０の流路の開閉を示す図である。
【図４】本考案の実施例２に係るチューブ容器２の全体構成を示す斜視図である。
【図５】実施例２に係るチューブ容器２の口頸体３０の構造を示す断面図である。
【図６】実施例２に係るチューブ容器２の口頸体３０の流路の開閉を示す図である。
【図７】実施例１に係るチューブ容器１を台座５０に戴置した状態を示す図である。
【図８】実施例１に係るチューブ容器１を台座５０に戴置する様子を示す図である。
【考案を実施するための形態】
【００１５】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１６】
実施例１を図面を参照して詳細に説明する。
【００１７】
図１は、本考案の実施例１に係るチューブ容器１の全体構成を示す斜視図である。図２は、実施例１に係るチューブ容器１の口頸体１０の構造を示す断面図である。図３は、実施例１に係るチューブ容器１の口頸体１０の流路の開閉を示す図である。チューブ容器１には、ハミガキ粉、化粧品等の内容物Ｘ（図示していない）が充填される。
【００１８】
図１に示すとおり、チューブ容器１は、口頸体１０と、チューブ本体２０とからなる。チューブ本体２０は、筒状体の一端（図１においては上方）が閉鎖され、内容物Ｘ（図示していない）を吐出する側である他端（図１においては下方）が開口され、この開口縁に口頸体１０の嵌合壁の内面（図示していない）を、チューブ本体２０の開口縁外周に嵌合させて固定される。なお、チューブ本体２０は、可撓性を有する素材で成形されるとよい。例えば、材料として低密度ポリエチレンを用いることができるがこれに限定されない。
【００１９】
図２を参照する。図２は、実施例１に係るチューブ容器１の口頸体１０の構造を示す断面図である。前述したとおり、口頸体１０は、二片の閉塞部材１１、１２とからなり、チューブ本体２０の下端の開口縁に当接して内容物を吐出する吐出口を形成する。この閉塞部材１１、１２が、互いに対向面を密接した状態で、吐出口において内容物Ｘ（図示していない）を吐出する切れ目Ｓを形成する。なお、閉塞部材１１、１２の互いの対向面は平らであり、切れ目Ｓは図２において直線で表されている。後述するとおり、チューブ本体２０を加圧すると、内容物Ｘの押圧によってこの切れ目Ｓは押し広げられて開口する。閉塞部材１１、１２は、軟質組成物、例えば自己粘着性を有するポリウレタン等合成樹脂材料を用いるとよい。ここで、本明細書にいう自己粘着性とは、他の手段、例えば接着剤等を用いることなく、それ自身で付着し、かつその付着状態を維持することが可能な性質を意味する。閉塞部材１１、１２が自己粘着性を有することで、特別な手段を施すことなく両者は通常の状態では密着し、チューブ本体２０を加圧すると、内容物Ｘが切れ目Ｓを押し広げ、内容物Ｘの一部が吐出されることになる。自己粘着性は、それを構成する材料の種類を適切に選択することによって発現させることができ、ポリウレタン以外の合成樹脂材料としては、熱可塑性エラストマー、特にシリコン、又は好ましくは親水コロイド材料で構成されており、またはこのような材料を含んでいると好適である。また、合成樹脂材料の硬さは１５〜５０のショアＡ硬度を有するとよいが、特に３０〜４０が好適である。
【００２０】
図３を参照する。図３は、実施例１に係るチューブ容器１の口頸体１０の流路の開閉を示す図である。図２において説明したとおり、口頸体１０は、二片の閉塞部材１１、１２とからなり、チューブ本体２０の下端の開口縁に当接して内容物を吐出する吐出口を形成する。この閉塞部材１１、１２が、互いに対向面を密接した状態で、吐出口において内容物Ｘ（図示していない）を吐出する切れ目Ｓを形成する。使用しない状態では、切れ目Ｓは自己閉鎖し、図３に示す矢印方向にチューブ本体２０を加圧すると、内容物Ｘの押圧により二片の閉塞部材１１、１２が離隔して流路を形成し、切れ目Ｓが開口されることが理解できるであろう。図３に示すとおり、押し広げられた切れ目Ｓを介して、流路から内容物Ｘが吐出する。
【実施例２】
【００２１】
実施例２を図面を参照して詳細に説明する。
【００２２】
図４は、本考案の実施例２に係るチューブ容器２の全体構成を示す斜視図である。図５は、実施例２に係るチューブ容器２の口頸体３０の構造を示す断面図である。図６は、実施例２に係るチューブ容器２の口頸体３０の流路の開閉を示す図である。チューブ容器２には、チューブ１と同様に、ハミガキ粉、化粧品等の内容物Ｘ（図示していない）が充填される。
【００２３】
図４に示すとおり、チューブ容器２は、口頸体３０と、チューブ本体４０とからなる。チューブ本体４０は、チューブ本体２０と同じであるので、説明は省略する。
【００２４】
図５を参照する。図５は、実施例２に係るチューブ容器２の口頸体３０の構造を示す断面図である。口頸体３０は、二片の閉塞部材３１、３２とからなり、チューブ本体４０の下端の開口縁に当接して内容物を吐出する吐出口を形成する。この閉塞部材３１、３２が、互いに対向面を密接した状態で、吐出口において内容物Ｘ（図示していない）を吐出する切れ目Ｓを形成する。なお、閉塞部材３１、３２は、互いに向き合い当接する対向面が湾曲面であり、切れ目Ｓは図５において曲線で表されている。後述するとおり、チューブ本体４０を加圧すると、内容物Ｘの押圧によってこの切れ目Ｓは押し広げられて開口する。閉塞部材３１、３２は、例えば自己粘着性を有するポリウレタン等を用いるとよい。
【００２５】
図６を参照する。図６は、実施例２に係るチューブ容器２の口頸体３０の流路の開閉を示す図である。図５において説明したとおり、口頸体３０は、二片の閉塞部材３１、３２とからなり、チューブ本体４０の下端の開口縁に当接して内容物を吐出する吐出口を形成する。この閉塞部材３１、３２が、互いに対向面を密接した状態で、吐出口において内容物Ｘ（図示していない）を吐出する切れ目Ｓを形成する。使用しない状態では、切れ目Ｓは自己閉鎖し、図６に示す矢印方向にチューブ本体４０を加圧すると、内容物Ｘの押圧により二片の閉塞部材３１、３２が離隔して流路を形成し、切れ目Ｓが開口されることが理解できるであろう。図６に示すとおり、押し広げられた切れ目Ｓを介して、流路から内容物Ｘが吐出する。
【実施例３】
【００２６】
実施例３を図面を参照して詳細に説明する。
【００２７】
図７と８を参照する。図７は、実施例１に係るチューブ容器１を台座５０に戴置した状態を示す図である。図８は、実施例１に係るチューブ容器１を台座５０に戴置する様子を示す図である。
【００２８】
図７及び８に示すとおり、本考案に係るチューブ容器１は、使用しないときは台座５０に戴置するようにしてもよい。台座５０は種々の構造を採用することができる。単純に、台座５０の支持面で、口頸体１０の外面を支持するようにしてもよいし、口頸体１０の外面の任意の箇所に凸部を設け、台座５０の支持面に、凸部が当接する位置に凹部を備えるようにしてもよい。さらに、台座５０に案内レールを設け、口頸体１０が摺動して出し入れできるような構成にしてもよい。またさらに、上述の凸部と凹部に相当する部分に、それぞれ対極の磁石片を貼り付けた構成にしてもよい。
【００２９】
以上、本考案に係るチューブ容器における好ましい実施形態を図示して説明してきたが、本考案の技術的範囲を逸脱することなく種々の変更が可能であることは理解されるであろう。
【産業上の利用可能性】
【００３０】
本考案に係るチューブ容器の口頸体及びこれを備えるチュ−ブ容器は、構造が簡易であるので、歯磨き粉や化粧品のほか、食品の分野等にも広く利用することができる。
【符号の説明】
【００３１】
１  ２  チューブ容器
１０  ３０  口頸体
１１  １２  閉塞部材
３１  ３２  閉塞部材
２０  ４０  チューブ本体
５０  台座
Ｓ  切れ目
Ｘ  内容物
【図１】
0003215807.tif 000003
【図２】
0003215807.tif 000004
【図３】
0003215807.tif 000005
【図４】
0003215807.tif 000006
【図５】
0003215807.tif 000007
【図６】
0003215807.tif 000008
【図７】
0003215807.tif 000009
【図８】
0003215807.tif 000010